(57)【要約】      （修正有）【課題】低演算負荷を伴う小型の経済的な、自動車レーダー用の混成型データ適応及び決定適応アンテナアレイを提供する。【解決手段】操向可能なトランスミッタアンテナ１２及びレシーバアンテナ１４を含む。レシーバアンテナは、データ適応及び決定適応デジタルビーム形成処理のために、サブアレイとして構成されている。制御可能な移相器は、それぞれのレシーバアンテナサブアレイ内において、それぞれのレシーバアンテナと加算ネットワークの間に結合されている。複数のサブアレイ加算ネットワークは、ミキサ内においてレシーバ方向基準信号と組み合わせられ、且つ、Ａ／Ｄコンバータ１６を通じてデジタルビーム形成器プロセッサ１８に対して出力される。【選択図】図１
2016001175.tif 000002
【特許請求の範囲】
【請求項１】
車両用のレーダー装置であって、
複数のアンテナ要素を有するアンテナアレイの形態のトランスミッタアンテナアレイと、
複数のアンテナ要素を有する少なくとも１つの平面アレイアンテナの形態のレシーバアンテナアレイであって、前記レシーバアンテナアレイは、複数のレシーバサブアレイから形成され、それぞれのレシーバサブアレイは、複数のアンテナ要素を含み、前記複数のアンテナ要素のそれぞれは、加算ネットワーク、ミキサ、及びＡ／Ｄコンバータに結合されたアンテナ及び移相器を有する、レシーバアンテナアレイと、
を有し、
前記Ａ／Ｄコンバータは、デジタルビーム形成器に結合されており、前記デジタルビーム形成器は、検出されたターゲットに対応する出力を生成し、前記出力は、前記トランスミッタアンテナアレイ及び前記レシーバアンテナアレイに対して追跡信号として供給される、装置。
【請求項２】
前記デジタルビーム形成器が、サイドローブクラッタを極小化するべく、データ適応アルゴリズムを使用することにより、前記トランスミッタアンテナアレイ及び前記レシーバアンテナアレイの操向制御を提供する、請求項１に記載のレーダー装置。
【請求項３】
前記レシーバサブアレイは、前記加算ネットワークと、それぞれの加算ネットワークに結合された前記ミキサと、を含み、これにより、決定適応レーダー信号処理を提供する請求項１に記載のレーダー装置。
【請求項４】
レーダー装置は、混成型の決定適応及びデータ適応レーダー装置である請求項３に記載のレーダー装置。
【請求項５】
前記デジタルビーム形成器及び前記決定適応レーダー信号処理は、複数のターゲットの同時検出及び追跡を可能にする、請求項３に記載のレーダー装置。
【請求項６】
前記トランスミッタアンテナアレイは、単一の線形に構成されたアンテナアレイである請求項１に記載のレーダー装置。
【請求項７】
前記デジタルビーム形成器が、検出されたターゲットに応答し、位相シフト角の予め保存された重みを利用して前記トランスミッタアンテナアレイ及びレシーバアンテナアレイビーム追跡用の追跡信号を生成する、請求項１に記載のレーダー装置。
【請求項８】
前記レシーバサブアレイが、レシーバサブアレイの単一の平面構成及び複数の離隔した積層された平面構成のうちの１つにおいて構成される、請求項１に記載のレーダー装置。
【請求項９】
前記レシーバサブアレイの複数の離隔した積層された平面構成は、ターゲット検出用の垂直方向の視野を提供する、請求項８に記載のレーダー装置。
【請求項１０】
車両用のレーダー装置であって、
複数のアンテナ要素を有するアンテナアレイの形態のトランスミッタアンテナアレイと、
複数のアンテナ要素を有する少なくとも１つの平面アレイアンテナの形態のレシーバアンテナアレイであって、前記アンテナアレイは、複数のレシーバサブアレイから形成され、それぞれのレシーバサブアレイは、複数のアンテナ要素を含み、前記複数のアンテナ要素のそれぞれは、加算ネットワーク、ミキサ、及びＡ／Ｄコンバータに結合されたアンテナ及び移相器を有する、レシーバアンテナアレイと、
を有し、
前記コンバータは、デジタルビーム形成器に結合され、前記デジタルビーム形成器は、検出されたターゲットに対応した出力を生成し、前記出力は、前記トランスミッタアンテナアレイ及び前記レシーバアンテナアレイに対して追跡信号として供給され、
前記デジタルビーム形成器は、前記ターゲット信号内のサイドローブを極小化するべく、データ適応アルゴリズムを使用することにより、前記トランスミッタアンテナアレイ及び前記レシーバアンテナアレイの操向制御を提供し、且つ、
前記レシーバサブアレイは、前記加算ネットワークと、それぞれの加算ネットワークに結合された前記ミキサと、を含み、これにより、適応レーダー信号処理を提供する、装置。
【請求項１１】
前記デジタルビーム形成器及び前記決定適応レーダー信号処理は、複数のターゲットの同時検出及び追跡を可能にする、請求項１０に記載のレーダー装置。
【請求項１２】
前記デジタルビーム形成器が、検出されたターゲットに応答し、位相シフト角の予め保存された重みを利用して前記トランスミッタアンテナアレイ及びレシーバアンテナアレイビーム追跡用の追跡信号を生成する、請求項１０に記載のレーダー装置。
【請求項１３】
前記レシーバサブアレイが、レシーバサブアレイの単一の平面構成及び複数の離隔した積層された平面構成のうちの１つにおいて構成される、請求項１０に記載のレーダー装置。
【請求項１４】
前記レシーバサブアレイの複数の離隔した積層された平面構成は、ターゲット検出用の垂直方向の視野を提供する、請求項１３に記載のレーダー装置。
【発明の詳細な説明】
【技術分野】
【０００１】
本発明は、レーダー装置に関し、且つ、更に詳しくは、フェーズアレイレーダーに関する。
【背景技術】
【０００２】
レーダー装置は、自動車における衝突回避及び改善された車両走行制御などの様々な用途に使用されている。
【０００３】
決定適応レーダーとは、形成された主要ビームを望ましい推定されたターゲット場所に向かってほぼ操向することができるように、追跡アルゴリズムの出力によってアンテナアレイの重みベクトルを初期化するレーダー装置を意味している。
【０００４】
データ適応レーダー装置とは、データの構造により、ターゲット角の推定において微細な角度分解能を提供するレーダー装置を意味している。又、これは、デジタルビーム形成（Ｄｉｇｉｔａｌ  Ｂｅａｍ  Ｆｏｒｍｉｎｇ：ＤＢＦ）とも呼称される。自動車レーダーアンテナアレイにおいてデータ適応（ＤＢＦ）レーダーを使用することにより、到来方向の推定を実行することができる。
【０００５】
純粋な決定適応アンテナアレイ処理は、実装が単純且つ容易であり、更には、空間効率性に優れているが、角度分解能が乏しく、その理由は、アレイの角度分解能がアレイの主ビームの幅によって制限されているからである。フルデータ適応アンテナアレイ処理は、ターゲット検出を実行する際には、良好な角度分解能を有しているが、演算負荷が大きく、且つ、実装が複雑であり、更には、費用を所要する。通常、ＤＢＦアンテナアレイ構造は、Ａ／Ｄコンバータ及び関係する回路に対して接続されたそれぞれのアレイ要素を有し、この結果、大きな演算負荷に加えて、全体システムが大きく且つ高価なものとなる。
【発明の概要】
【発明が解決しようとする課題】
【０００６】
これらの欠点に対処する改善されたレーダー装置を開発することが有用であろう。
【課題を解決するための手段】
【０００７】
自動車用のレーダー装置は、複数の隣接した離隔したアンテナ要素を有する平面状に構成されたアンテナアレイの形態のトランスミッタアンテナアレイと、複数の隣接したアンテナ要素の少なくとも１つの平面アンテナアレイの形態のレシーバアンテナアレイと、を含む。レシーバアレイは、サブアレイに分割され、それぞれのサブアレイは、アンテナと、Ａ／Ｄコンバータに結合された移相器、加算ネットワーク、及びダウン変換ミキサと、から形成されたアンテナ要素を含む。
【０００８】
レーダー装置は、受け取った信号内のサイドローブクラッタを極小化するべく、トランスミッタアンテナアレイ及び受信アンテナアレイの操向制御を含む。
【０００９】
レシーバアンテナサブアレイは、サブアレイの単一の平面サブアレイ構成又は複数の垂直方向において離隔すると共に積層された平面構成のうちの１つにおいて構成することができる。複数の離隔した積層された平面レシーバサブアレイは、ターゲット検出のための垂直方向の三次元エンベロープ視野を提供する。
【００１０】
加算ネットワーク、ミキサ、及びＡ／Ｄコンバータを含む受信アンテナサブアレイは、トランスミッタアンテナアレイ信号入力に結合された基準追跡信号を使用することにより、決定適応レーダーレシーバを形成する。
【００１１】
一態様において、レーダー装置は、混成型の決定適応及びデータ適応レーダー装置である。レーダー装置は、複数のターゲットの同時検出及び追跡を可能にするべく、デジタルビーム形成器及びデータ適応処理を含む。
【００１２】
トランスミッタアンテナアレイは、単一の線形に構成されたアンテナアレイであってもよい。
【００１３】
レーダー装置は、検出されたターゲットに応答して、予め保存されている重み又は位相シフト角を利用してトランスミッタ及びレシーバビーム追跡のための基準信号を生成する、デジタルビーム形成器を含む。
【００１４】
以下の詳細な説明及び添付図面を参照することにより、本レーダー装置の様々な特徴、利点、及びその他の使用法について更に明らかとなろう。
【図面の簡単な説明】
【００１５】
【図１】混成型のデータ及び決定適応レーダー処理装置に伴うブロックダイアグラムである。
【図２】図１に示されている装置の一部分の拡大ブロックダイアグラムである。
【図３Ａ】利得制御を伴う移相器の概略図である。
【図３Ｂ】異なる利得制御を伴う移相器の概略図である。
【図４】混成型データ及び決定適応方式の作動原理の概略図である。
【図５】決定適応操向ビーム及びデータ適応アルゴリズムを示すグラフである。
【図６Ａ】混成型データ適応及び決定適応処理の使用を伴わないフェーズアレイレーダー出力の概略図であり、誤ったターゲット画像を示している。
【図６Ｂ】検出された実際のターゲットのみを示す混成型のデータ適応且つ決定適応フェーズアレイレーダー装置の概略図である。
【図７】レシーバフェーズサブアレイの単一の線形構成の概略図である。
【図８】垂直方向において積層された線形レシーバフェーズサブアレイの概略図である。
【発明を実施するための形態】
【００１６】
混成型のデータ適応及び決定適応アンテナアレイは、自動車レーダー装置における問題点を改善する低演算負荷を伴う小型の経済的なパッケージにおいて、決定適応及びデータ適応アンテナアレイ処理を組み合わせている。
【００１７】
決定適応処理は、トランスミッタアレイの概略的な操向を提供し、この場合に、トランスミッタアレイは、追跡モジュールの出力と予め算出された移相器の重みにより、操向されている。それぞれのアンテナ要素用ごとに移相器をそれぞれが有すると共にそれぞれのサブアレイごとにミキサ及びＡ／Ｄコンバータを有する受信サブアレイを収容するアンテナアレイを使用した決定適応処理は、デジタルビーム形成器を生成する。データ適応及び決定適応技法の組合せは、両方の処理の欠点の多くを克服しつつ、両方の処理の利点を維持している。
【００１８】
次に、添付図面を、且つ、具体的には、図１、図２、図３Ａ、及び図３Ｂを参照すれば、トランスミッタアレイ１２及びレシーバアレイ１４を含むフェーズアレイレーダー装置であるレーダー装置１０が示されている。Ａ／Ｄコンバータ１６、以下において「ＤＢＦ」と呼称されるデジタルビーム形成器プロセッサ１８、ターゲット検出処理２０、ターゲット追跡処理２２が存在しており、ターゲット追跡処理２２は、システム出力２４と、追跡基準２８及び重みライブラリ３０からの重みに基づいてビーム選択追跡制御を提供するアレイコントローラ２６と、の両方に供給している。ビーム選択２５の出力は、それぞれのトランスミッタアンテナ３８用の移相器３６及びそれぞれのレシーバ１４のサブアレイ内の位相シフト６０を調節する、アレイコントローラ基準２８に供給している。
【００１９】
図２に示されているように、アレイコントローラモジュール２８の操向角出力２９は、トランスミッタアレイ１２の移相器３６に送信される信号である。ＰＬＬ発振器からのレーダー信号３２は、トランスミッタアレイ１２の分割ネットワーク３４を通じて個々の移相器３６に供給されており、これらの個々の移相器３６は、個々のトランスミッタアンテナ３８に対して供給している。
【００２０】
又、図２は、混成型の決定適応／データ適応レーダー装置用に構成されたレシーバアレイ１４用のアンテナアレイフロントエンド構造の一例をも示している。この例においては、１６個のアンテナ要素が示されており、且つ、この混成型設計の場合には、レシーバアレイ１４は、４つのサブアレイに分割され、それぞれのサブアレイには、４つの要素が存在している。
【００２１】
レーダー又は信号入力３２に結合された基準信号４０は、ミキサ４２に供給されており、例えば、４つのミキサ４２が、並列に構成されるものとして示されている。レシーバ１４のサブアレイは、移相器６０に供給しているアンテナ５８を通じて検出された物体から反射された信号を受け取る。移相器６０の出力は、サブアレイにグループ化され、且つ、ミキサ４２によって制御されている個々の加算ネットワーク６２に供給される。ミキサ４２の出力は、Ａ／Ｄコンバータ１６を通じてデジタルビーム形成器プロセッサ１８に供給され、デジタルビーム形成器プロセッサ１８は、アレイコントローラ２８を通じてトランスミッタアレイ１２及びレシーバアレイ１４に返送されるターゲット検出データ並びに追跡情報を生成するべく、信号をターゲット検出回路２０及びターゲット追跡回路２２に対して出力している。
【００２２】
図３Ａ及び図３Ｂは、移相器６０用の移相器回路の異なる例を示している。図３Ａにおいては、それぞれの移相器６０は、ビット制御された移相器７０である。図３Ｂにおける移相器は、アナログ電圧制御された移相器７２を示している。これらの移相器制御の例のいずれの場合にも、それぞれの移相器は、０°から３６０°に信号の位相をシフトさせる能力を有している。
【００２３】
更には、移相器６０によれば、レシーバ１４のサブアレイの操向が可能となり、且つ、振幅制御により、サイドローブ及びナル（ｎｕｌｌ）を調節することができる。更には、干渉用の零調又は追跡用の再配置などの従来の知識に基づいて、ビームを最適に変更することもできる。
【００２４】
図４は、異なる位相角におけるレーダー装置１０内の決定適応操向ビーム８２を示しており、且つ、図５は、それぞれのレーダービーム８０内の形成された信号８２を示している。
【００２５】
レーダー装置１０は、同時に複数のターゲットを検出及び追跡することができる。アンテナの動作は、別個の決定適応及びデータ適応ステップに分割される。決定適応ステップは、ターゲット追跡２２の出力によって駆動され、且つ、相対的に広範囲の角度をカバーしている。例えば、ＣａｐｏｎのアルゴリズムやＭＵＳＩＣアルゴリズムなどのようなデジタルビーム形成アルゴリズムを実行することにより、特定のターゲット方向がデータ適応セクションにおいて算出される。図５には、決定適応操向ビーム８０が実線で示されている。データ適応ビームのデータ信号は、破線の波形８２によって示されている。
【００２６】
レーダー装置１０は、決定適応及びデータ適応アンテナアレイ処理方法を組み合わせることにより、例えば、自動車の衝突回避レーダー装置において使用可能な新しいＷバンドフェーズアレイアーキテクチャを使用した、混成型のビーム形成及び処理方法を形成する。
【００２７】
決定適応処理シーケンスは、混成型レーダーシステムの検出フェーズにおいて稼働する。デジタルビーム形成器２６は、予め算出された重みライブラリ３０及びビーム選択基準２８にアクセスし、ターゲット処理追跡モジュール２２からターゲット情報を取得し、且つ、物体問合せの概略的なビーム方向を提供する。
【００２８】
トランスミッタアレイ１２は、メインビームサイドローブを抑制するべく、レシーバアレイと同一の方向に向って操向される。
【００２９】
このプロセスは、ターゲット追跡モジュール２２の出力によって決定された操向方向を伴う「決定適応」と呼称され、且つ、位相シフト角用の予め算出された重みは、重みライブラリ３０内において保存されている。このプロセスは、大規模な時間的に正確な計算及び処理を必要としてはおらず、従って、これは、非常に効率的且つ迅速に実現することができる。
【００３０】
図１に示されているレーダー装置１０においては、トランスミッタアレイ１２及びそれぞれのレシーバ１４のサブアレイ内の要素は、概略的スキャニングを実装するべく、位相及び振幅の両方との関係において重み付けされている。
【００３１】
図４は、−４０°、−２０°、０°、２０°、４０°という方向における決定適応操向の一例を示している。
【００３２】
データ適応処理は、図４に示されている決定適応プロセスによって決定された方向の検出エリア内において高精度のターゲット角情報を見出すべく、デジタルビーム形成法を利用している。
【００３３】
レーダー装置１０内において、レシーバ１４のサブアレイからの出力は、デジタルビーム形成器２６に必要とされるデータセットを提供している。更なるチャネルがレーダー装置１０に追加されるのに伴って、ＤＢＦアルゴリズムは、更に多くの計算を必要とすることになる。更には、多くのチャネルは、費用を所要し、且つ、構築するのが複雑である。
【００３４】
従って、混成型のレーダー装置１０がアクセスを要するのは、それぞれのアンテナ要素からのデータ出力の代わりに、決定適応サブアレイの出力に対してのみである。この結果、フルデジタルビーム形成に匹敵する高分解能レートを維持しつつ、レーダー装置内において必要とされるチャネルの数が大幅に低減され、構築費用及び演算負荷が極小化される。
【００３５】
この混成型レーダー装置１０においては、レシーバサブアレイのメインビーム内において、隣接するサブアレイの間の距離に対して格子ローブが発生する可能性があり、且つ／又は、それぞれのサブアレイ内の個々の要素の間の間隔は、０．５λ（すべての格子ローブを除去する距離）を上回っている。この問題は、格子ローブの影響が低減されるように、図７Ｂに示されているように、制御をトランスミッタアレイ１２に対して適用することにより、トランスミッタアレイ１２を通じて事実上軽減することができる。混成型のデータ適応及び決定適応レーダー装置１０は、トランスミッタアレイ１２に供給されるビーム追跡信号をレシーバサブアレイ１４のミキサ４２に供給される基準入力信号４０と関連付けることにより、格子ローブを部分的に抑制している。
【００３６】
図６Ａは、角度制御に対するトランスミッタアレイ１２の適用を伴わない物体検出を示している。実際のターゲット又は物体９８及び１００と共に、誤ったターゲット９２及び９４が検出されている。
【００３７】
図６Ｂにおいては、操向角度制御がトランスミッタアレイ１２に供給された後に、実際のターゲット９８及び１００のみが検出されている。
【００３８】
図７は、複数のレシーバサブアレイ要素５８、６０、及び６２の単一の線形構成の一例を示している。それぞれのサブアレイアンテナ５８は、単一プレーン内において視野１１０内において物体検出ビームを受け取るように位置決めされている。単一のプレーン又は視野１１０の場合には、検出された物体又はターゲットの高さを判定することが困難である。
【００３９】
図８においては、同一のレシーバ１４のサブアレイが、第１下部サブアレイグループ１１２及び上部サブアレイグループ１１４を含む２つの平行に構成されたサブアレイの線形のグループとして構成されている。このレシーバサブアレイ１１２及び１１４の積層された構成は、上部平面検出プレーン１１６及び離隔した下部検出プレーン１１８を有する物体検出用の３次元エンベロープを形成している。この結果、検出された信号において相対的に高い分解能が得られ、その理由は、積層されたレシーバサブアレイ１１２及び１１４が垂直方向のスキャニング又は傾斜の尺度を提供するからである。
【図１】
2016001175.tif 000003
【図２】
2016001175.tif 000004
【図３Ａ】
2016001175.tif 000005
【図３Ｂ】
2016001175.tif 000006
【図４】
2016001175.tif 000007
【図５】
2016001175.tif 000008
【図６Ａ】
2016001175.tif 000009
【図６Ｂ】
2016001175.tif 000010
【図７】
2016001175.tif 000011
【図８】
2016001175.tif 000012
【外国語明細書】
2016001175000001.pdf